(57)【要約】【課題】    本発明の目的は、使用勝手の良好な塗布具、塗料供給装置及び塗料供給方法を提供するものである。【解決手段】    塗布具２は、容器１の内部に臨む開口部２１ａを有し、容器１の先端部に設けられた雄ねじ部１ａに螺合する雌ねじ部２１ｂを有した本体２１と、この本体２１に接続されると共に、開口部２１ａに連通して容器１内の液体塗料を案内する通路２２ａを有する通路体２２と、この通路体２２に接続されると共に、通路２２ａに連通する排出口２２ｂが設けられた先端部２２１と、この先端部２２１に取り付けられた塗布部材２３と、を備えているものである。【選択図】図７
2019018117.tif 000002
【特許請求の範囲】
【請求項１】
容器の内部に臨む開口部を有し、前記容器の先端部に設けられた雄ねじ部に螺合する雌ねじ部を有した本体と、
この本体に接続されると共に、前記開口部に連通して前記容器内の液体塗料を案内する通路を有し、排出口を備えた通路体と、
この通路体に取り付けられた塗布部材と
を備えていることを特徴とする塗布具。
【請求項２】
液体塗料を収納した容器と、
この容器の内部に臨む開口部を有し、前記容器の先端部に設けられた雄ねじ部に螺合する雌ねじ部を有した本体と、
この本体に接続されると共に、前記開口部に連通して前記容器内の液体塗料を案内する通路を有し、排出口を備えた通路体と、
この通路体に取り付けられた塗布部材と、
を備えていることを特徴とする塗料供給装置。
【請求項３】
液体塗料を収納した容器と、
この容器の内部に臨む開口部を有し、前記容器の先端部に設けられた雄ねじ部に螺合する雌ねじ部を有した本体と、
この本体に接続されると共に、前記開口部に連通して前記容器内の液体塗料を案内する通路を有し、排出口を備えた通路体と、
この通路体に取り付けられた塗布部材とを備え、
前記容器を手で押圧して前記容器内の液体塗料を前記塗布部材に供給する
ことを特徴とする塗料供給方法。
【請求項４】
通路体の先端部は、通路の長手方向を横断する方向に設けられると共に、平坦面を有し、
この平坦面に塗布部材が取り付けられている
ことを特徴とする請求項１記載の塗布具。
【請求項５】
塗布部材は、平坦面から外方に向かって、少なくとも、第１の層と第２の層と有し、
前記第１の層は、最外層である前記第２の層より柔らかい素材で形成されている
ことを特徴とする請求項１又は請求項４記載の塗布具。
【請求項６】
通路体の先端部は、通路の長手方向に沿う扁平形状の扁平体であり、
塗布部材は、前記扁平体の一方の面から前記扁平体の他方の面に至るように折り返されて前記扁平体に取り付けられている
ことを特徴とする請求項１記載の塗布具。
【請求項７】
容器の内部に臨む開口部を有し、前記容器の先端部に設けられた雄ねじ部に螺合する雌ねじ部を有した本体と、
この本体に接続されると共に、前記開口部に連通して前記容器内の液体塗料を案内する通路を有し、排出口を備えた通路体と、
この通路体に接続された支持部材と、
この支持部材に回動自在に支持された回転体と、
この回転体の外周に取り付けられた塗布部材とを備え、
前記通路体の先端の前記排出口が前記塗布部材に臨んでいる
ことを特徴とする塗料供給装置。
【発明の詳細な説明】
【技術分野】
【０００１】
本発明は、塗布具、塗料供給装置及び塗料供給方法に係り、特に、使用勝手の良好な塗布具、塗料供給装置及び塗料供給方法に関する。
【背景技術】
【０００２】
従来、被塗装体に刷毛で塗料を塗布する場合、容器に入れた塗料に刷毛をつけて行っている。
【発明の概要】
【発明が解決しようとする課題】
【０００３】
そのため、刷毛に塗料が無くなると、その度に、刷毛に塗料をつけねばならず、使用勝手が良好でないという問題点があった。
【０００４】
本発明は、上記の問題点を考慮してなされた塗布具、塗料供給装置及び塗料供給方法を提供することである。
【課題を解決するための手段】
【０００５】
請求項１記載の塗布具は、容器の内部に臨む開口部を有し、前記容器の先端部に設けられた雄ねじ部に螺合する雌ねじ部を有した本体と、この本体に接続されると共に、前記開口部に連通して前記容器内の液体塗料を案内する通路を有し、排出口を備えた通路体と、この通路体に取り付けられた塗布部材とを備えているものである。
【０００６】
また、請求項２記載の塗料供給装置は、液体塗料を収納した容器と、この容器の内部に臨む開口部を有し、前記容器の先端部に設けられた雄ねじ部に螺合する雌ねじ部を有した本体と、この本体に接続されると共に、前記開口部に連通して前記容器内の液体塗料を案内する通路を有し、排出口を備えた通路体と、この通路体に取り付けられた塗布部材と、を備えているものである。
【０００７】
また、請求項３記載の塗料供給方法は、液体塗料を収納した容器と、この容器の内部に臨む開口部を有し、前記容器の先端部に設けられた雄ねじ部に螺合する雌ねじ部を有した本体と、この本体に接続されると共に、前記開口部に連通して前記容器内の液体塗料を案内する通路を有し、排出口を備えた通路体と、この通路体に取り付けられた塗布部材とを備え、前記容器を手で押圧して前記容器内の液体塗料を前記塗布部材に供給するものである。
【０００８】
また、請求項４記載の塗布具は、請求項１記載の塗布具において、通路体の先端部は、通路の長手方向を横断する方向に設けられると共に、平坦面を有し、この平坦面に塗布部材が取り付けられているものである。
【０００９】
また、請求項５記載の塗布具は、請求項１記載の塗布具において、塗布部材は、平坦面から外方に向かって、少なくとも、第１の層と第２の層と有し、前記第１の層は、最外層である前記第２の層より柔らかい素材で形成されているものである。
【００１０】
また、請求項６記載の塗布具は、請求項１記載の塗布具において、 通路体の先端部は、通路の長手方向に沿う扁平形状の扁平体であり、塗布部材は、前記扁平体の一方の面から前記扁平体の他方の面に至るように折り返されて前記扁平体に取り付けられているものである。
【００１１】
また、請求項７記載の塗料供給装置は、容器の内部に臨む開口部を有し、前記容器の先端部に設けられた雄ねじ部に螺合する雌ねじ部を有した本体と、この本体に接続されると共に、前記開口部に連通して前記容器内の液体塗料を案内する通路を有し、排出口を備えた通路体と、この通路体に接続された支持部材と、この支持部材に回動自在に支持された回転体と、この回転体の外周に取り付けられた塗布部材とを備え、前記通路体の先端の前記排出口が前記塗布部材に臨んでいるものである。
【発明の効果】
【００１２】
請求項１記載の塗布具によれば、従来のように、刷毛に塗料を一々つけなくても、液体塗料が入った容器の雄ねじ部に本体の雌ねじ部を螺合して容易に装着して、容器の押圧力を調整しながら適宜の塗布量で塗装することができる使用勝手の良好な塗布具を得ることができる。
【００１３】
また、請求項２記載の塗料供給装置によれば、従来のように、刷毛に塗料を一々つけなくても、液体塗料が入った容器の雄ねじ部に本体の雌ねじ部を螺合して容易に装着して、容器の押圧力を調整しながら適宜の塗布量で塗装することができる使用勝手の良好な塗料供給装置を得ることができる。
【００１４】
また、請求項３記載の塗料供給方法によれば、従来のように、刷毛に塗料を一々つけなくても、液体塗料が入った容器の雄ねじ部に本体の雌ねじ部を螺合して容易に装着して、容器の押圧力を調整しながら適宜の塗布量で塗装することができる使用勝手の良好な塗料供給方法を得ることができる。
【００１５】
また、請求項４記載の塗布具によれば、上述した請求項１記載の発明の効果に加え、通路体の先端部の平坦面に塗布部材が取り付けられているため、木の板、箱などの平坦面を簡易且つ迅速に塗装することができる。
【００１６】
また、請求項５記載の塗布具によれば、上述した請求項１又は請求項４記載の発明の効果に加え、塗布部材は、平坦面から外方に向かって、少なくとも、第１の層と第２の層と有し、前記第１の層は、最外層である前記第２の層より柔らかい素材で形成されているため、容器からの液体塗料を第１の層に含ませながら最外層である第２の層に供給して、木の板、箱などの平坦面をある程度均一に塗装することができる。
【００１７】
また、請求項６記載の塗布具によれば、上述した請求項１記載の発明の効果に加え、通路体の先端部は、通路の長手方向に沿う扁平形状の扁平体であり、
塗布部材は、前記扁平体の一方の面から前記扁平体の他方の面に至るように折り返されて前記扁平体に取り付けられているため、小箱の隅、小物の細かな部位を塗布部材の折り返された表側の部位で塗装することができる。
【００１８】
また、請求項７記載の塗料供給装置によれば、従来のように、刷毛に塗料を一々つけなくても、液体塗料が入った容器の雄ねじ部に本体の雌ねじ部を螺合して容易に装着して、容器の押圧力を調整しながら適宜の塗布量で塗装することができる使用勝手の良好な塗料供給装置を得ることができる。
【図面の簡単な説明】
【００１９】
【図１】図１は、本発明の一実施例の塗布具の概略的正面図である。
【図２】図２は、図１の概略的左側面図である。
【図３】図３は、図２の概略的右側面図である。
【図４】図４は、図２の概略的平面図である。
【図５】図５は、図１のＡ−Ａ線による概略的断面図である。
【図６】図６は、図３のＢ−Ｂ線による概略的断面図である。
【図７】図７は、図１の塗布具を装着した塗料供給装置による使用状態を示す概略的図である。
【図８】図８は、図７における塗料の流れを示す概略的図である。
【図９】図９は、図１と異なる他の実施例の塗布具の概略的正面図である。
【図１０】図１０は、図９の概略的左側面図である。
【図１１】図１１は、図９の概略的右側面図である。
【図１２】図１２は、図９の概略的平面図である。
【図１３】図１３は、図９のＡ−Ａ線による概略的断面図である。
【図１４】図１４は、図１１のＣ−Ｃ線による概略的断面図である。
【図１５】図１５は、図９の塗布具を装着した塗料供給装置による使用状態を示す概略的図である。
【図１６】図１６は、図９の塗布具を装着した塗料供給装置による図１５と異なる他の使用状態を示す概略的図である。
【図１７】図１７は、図１５における塗料の流れを示す概略的図である。
【図１８】図１８は、図９と異なる他の実施例の塗布具を容器に装着した状態の写真である。
【図１９】図１９は、図１８の容器から本体を分離した状態の写真である。
【図２０】図２０は、図１９の一部を拡大して示す写真である。
【図２１】図２１は、図２０の本体を示す写真である。
【図２２】図２２は、図２１の塗布部材を本体から分離した状態を示す写真である。
【図２３】図２３は、図２２の塗布部材を本体から示す写真である。
【図２４】図２４は、図２３を通路体の先端部から示す写真である。
【図２５】図２５は、図１８の塗布具の要部の概略的断面図である。
【図２６】図２６は、図１８と異なる他の実施例の塗布具を容器に装着した状態の写真である。
【図２７】図２７は、図２６の容器から本体を分離した状態の写真である。
【図２８】図２８は、図２７の本体を示す写真である。
【図２９】図２９は、図２６の塗布具の要部の概略的断面図である。
【発明を実施するための形態】
【００２０】
本発明の一実施例の塗布具、塗料供給装置及び塗料供給方法を図１乃至図８を参照して説明する。
図７及び図８に示すＫは塗料供給装置で、塗料供給装置Ｋは、液体塗料を収納した容器（例えば、市販されているペットボトル）１と、この容器１に装着される塗布具２とを有する。
【００２１】
塗布具２は、容器１の内部に臨む開口部２１ａ（図５及び図６）を有し、容器１の先端部に設けられた雄ねじ部１ａ（図８）に螺合する雌ねじ部２１ｂを有した本体２１と、この本体２１に接続されると共に、開口部２１ａに連通して容器１内の液体塗料を案内する通路２２ａを有し、排出口２２ｂを備えた通路体２２と、この通路体２２に取り付けられた塗布部材２３とを備えている。
これら本体２１、通路体２２は、合成樹脂で一体的に成形されている。
【００２２】
通路体２２の先端部２２１は、通路２２ａの長手方向を横断する方向に設けられると共に、平坦面（例えば、四角形でも良いが、三角形が良い。）を有している。
この平坦面に塗布部材２３が取り付けられている。そのため、図７に示すように、木の板、箱などの平坦面を簡易且つ迅速に塗装することができる。
【００２３】
従って、上述した塗布具２（塗料供給装置Ｋ、塗料供給方法）によれば、従来のように、刷毛に塗料を一々つけなくても、液体塗料が入った容器１の雄ねじ部１ａに本体２１の雌ねじ部２１ａを螺合して容易に装着して、容器１の押圧力を調整し（容器１を手で押圧して）ながら適宜の塗布量で塗装することができる使用勝手の良好な塗布具２（塗料供給装置Ｋ、塗料供給方法）を得ることができる。
【００２４】
なお、塗布部材２３は、１層でも良いが、通路体２２の先端部２２１の平坦面から外方に向かって、少なくとも、第１の層（例えば、スポンジ）２３１と第２の層（例えば、不織布）２３２と有し、第１の層２３１は、最外層である第２の層２３２より柔らかい素材で形成されている。
これは、容器１からの液体塗料を第１の層２３１に含ませながら最外層である第２の層２３２に供給して、木の板、箱などの平坦面をある程度均一に塗装するためである。
【００２５】
上述した図１乃至図８記載の実施例の通路体２２の先端部２２１は、通路２２ａの長手方向を横断する方向に設けられているが、本願発明にあっては、これに限らず、図９乃至図１７に示すように、通路体２２の先端部２２１は、通路２２ａの長手方向に沿う扁平形状の扁平体であっても良い。
通路体２２の先端部２２１が扁平体の場合、塗布部材２３は、扁平体の一方の面２２Ａから前記扁平体の他方の面２２Ｂに至るように折り返されて前記扁平体に取り付けられている（図１３参照）。
これは、小箱の隅（図１６）、小物の細かな部位を塗布部材２３の折り返された表側の部位２３Ａで塗装し易くするためである。
例えば、図１５のような段差、凹凸のある被塗装部位の場合、塗布部材２３は柔らかいスポンジが好適であり、図１６のような小箱の隅、小物の細かな部位の場合、塗布部材２３は硬めの不織布が好適である。なお、通路体２２は、上述した図１乃至図８記載の実施例と同様に、本体２１に接続されると共に、開口部２１ａに連通して容器１内の液体塗料を案内する通路２２ａを有し、排出口２２ｂを備えている。
【００２６】
次に、上述した実施例の塗布具（塗料供給装置Ｋ、塗料供給方法）と異なる他の実施例の塗布具（塗料供給装置Ｋ、塗料供給方法）を図１８乃至図２５を参照して説明する。
塗料供給装置Ｋは、上述した実施例と同様に、液体塗料を収納した容器（例えば、市販されているペットボトル）１と、この容器１に装着される塗布具２とを有する。
【００２７】
塗布具２は、容器１の内部に臨む開口部２１ａ（図１８及び図１９）を有し、容器１の先端部に設けられた雄ねじ部１ａに螺合する雌ねじ部２１ｂを有した本体２１と、この本体２１に接続されると共に、開口部２１ａに連通して容器１内の液体塗料を案内する通路（図２３記載の開口部２１ａと図２４記載の排出口２２ｂを連通する通路）を有し、排出口２２ｂを備えた通路体２２と、この通路体２２に取り付けられた塗布部材２３とを備えている。
これら本体２１、通路体２２は、合成樹脂で一体的に成形されている。
【００２８】
通路体２２の先端部２２１は、通路２２ａの長手方向を横断する方向に設けられ、通路体２２の先端部２２１に塗布部材（例えば、刷毛）２３が取り付けられている。
【００２９】
従って、上述した塗料供給装置Ｋ（塗料供給方法）によれば、従来のように、刷毛に塗料を一々つけなくても、液体塗料が入った容器１の雄ねじ部１ａに本体２１の雌ねじ部２１ａを螺合して容易に装着して、容器１を手で押圧して容器１内の液体塗料を塗布部材２３に供給するため、容器１の押圧力を調整しながら適宜の塗布量で塗装することができる使用勝手の良好な塗料供給装置Ｋを得ることができる。
【００３０】
次に、上述した実施例の塗布具（塗料供給装置Ｋ、塗料供給方法）と異なる他の実施例の塗布具（塗料供給装置Ｋ、塗料供給方法）を図２６乃至図２９を参照して説明する。
塗料供給装置Ｋは、上述した実施例と同様に、液体塗料を収納した容器（例えば、市販されているペットボトル）１と、この容器１に装着される塗布具２とを有する。
塗布具２は、容器１の内部に臨む開口部２１ａ（図２９）を有し、容器１の先端部に設けられた雄ねじ部１ａに螺合する雌ねじ部２１ｂを有した本体２１を有する。
通路体２２は、本体２１に接続されると共に、開口部２１ａに連通して容器１内の液体塗料を案内する通路２２ａを有し、排出口２２ｂを備えている。
【００３１】
図２６に示す２５は、通路体２２に接続された支持部材で、支持部材２５には、回動自在に支持された回転体２６が取り付けられている。この回転体２６の外周には、塗布部材２３が取り付けられている。そして、通路体２２の先端の排出口２２ｂが塗布部材２３に臨んでいる（図２９）。
【００３２】
従って、図２６乃至図２９記載の塗料供給装置Ｋ（塗料供給方法）によれば、従来のように、刷毛に塗料を一々つけなくても、液体塗料が入った容器１の雄ねじ部１ａに本体２１の雌ねじ部２１ｂを螺合して容易に装着して、容器１の押圧力を調整しながら適宜の塗布量で塗装することができる使用勝手の良好な塗料供給装置Ｋを得ることができる。
【符号の説明】
【００３３】
１      容器
２      塗布具
２１    本体
２１ａ  開口部
２１ｂ  雌ねじ部
２２    通路体
２２ａ  通路
２２１  先端部材
２２ｂ  排出口
２３    塗布部材
【図１】
2019018117.tif 000003
【図２】
2019018117.tif 000004
【図３】
2019018117.tif 000005
【図４】
2019018117.tif 000006
【図５】
2019018117.tif 000007
【図６】
2019018117.tif 000008
【図７】
2019018117.tif 000009
【図８】
2019018117.tif 000010
【図９】
2019018117.tif 000011
【図１０】
2019018117.tif 000012
【図１１】
2019018117.tif 000013
【図１２】
2019018117.tif 000014
【図１３】
2019018117.tif 000015
【図１４】
2019018117.tif 000016
【図１５】
2019018117.tif 000017
【図１６】
2019018117.tif 000018
【図１７】
2019018117.tif 000019
【図１８】
2019018117.tif 000020
【図１９】
2019018117.tif 000021
【図２０】
2019018117.tif 000022
【図２１】
2019018117.tif 000023
【図２２】
2019018117.tif 000024
【図２３】
2019018117.tif 000025
【図２４】
2019018117.tif 000026
【図２５】
2019018117.tif 000027
【図２６】
2019018117.tif 000028
【図２７】
2019018117.tif 000029
【図２８】
2019018117.tif 000030
【図２９】
2019018117.tif 000031